(57)【特許請求の範囲】
【請求項１】
合板からなる基材に接着剤を介して突き板を熱圧にて積層一体化する床材の製造方法において、上記基材の表面に、条溝又は周縁端部にＲ面を形成した後に、接着剤を介して突き板を重ね、上記Ｒ面に合致する形状面を有するクッション材を、この形状面が上記突き板に当接するように設置し、熱圧することで、条溝又は周縁端部にＲ面を有する床材を得ることを特徴とする床材の製造方法。
【発明の詳細な説明】
【０００１】
【発明の属する技術分野】
本発明は、合板からなる基材と、この基材の表面に貼着された突き板からなり、突き板の表面に形成された条溝又は周縁端部がＲ面を有する床材の製造方法に関するものである。
【０００２】
【従来の技術】
床材として、合板からなる基材の表面に、表面化粧を目的とした突き板を貼着したものが知られている。上記床材にあっては、条溝又は周縁端部にＲ（アール）面が形成される。このような床材は、基材に突き板を熱圧して積層一体化したものに、条溝を形成したり、周縁端部にＲ面を形成する加工が行われる。
【０００３】
【発明が解決しようとする課題】
図４に、従来の溝加工を行なった床材の要部を拡大した断面図を示す。上記床材は、基材２１に突き板２２を貼着し、この基材２１突き板２２を貼着したものに溝加工が施される。上記床材は、突き板２２の厚みが０．２〜０．３ｍｍ程度と薄いものであるため、加工した溝２３の壁面２４に、基材２１が露出する。この溝２３の壁面２４に基材２１が露出すると、床材は、無垢感が損なわれ、高級感が失われる。
【０００４】
本発明は上記の事情に鑑みてなされたもので、その目的とするところは、合板からなる基材と、突き板からなり、条溝又は周縁端部がＲ面を有するもので、無垢感、高級感を保持した床材の製造方法を提供することにある。
【０００５】
請求項１記載の床材の製造方法は、合板からなる基材に接着剤を介して突き板を熱圧にて積層一体化する床材の製造方法において、上記基材の表面に、条溝又は周縁端部にＲ面を形成した後に、接着剤を介して突き板を重ね、上記Ｒ面に合致する形状面を有するクッション材を、この形状面が上記突き板に当接するように設置し、熱圧することで、条溝又は周縁端部にＲ面を有する床材を得ることを特徴とする。上記によって、基材のＲ面を有する条溝又は周縁端部が上記突き板で覆われるため、条溝又は周縁端部から基材面がが露出することがないので、無垢感、高級感を保持した床材が得られるものである。また、上記床材は、水分を吸湿し易い基材が露出されることなく、水分を吸湿しにくい突き板で覆われてるので、条溝又は周縁端部の側壁から水分が浸透することを防止することができるものである。
【０００９】
【発明の実施の形態】
図１は、本発明の製造方法により製造される床材の一例を模式的に示した木口面からの断面図である。
【００１０】
上記床材は、基材１に突き板２が貼着されたものである。上記基材１は、突き板２を貼着する表面にMDF合板（中質繊維板：Ｍｅｄｉｕｍ  ｄｅｎｓｉｔｙ  ｆｉｄｅｒｂｏａｒｄ）１ａと、このMDF合板１ａの裏面に繊維方向が異なる単板を一層毎に、複数層配置したもの１ｂを有する合板からなっている。上記基材１は、突き板２を貼着する表面にMDF合板１ａを設けているため、基材１の強度が向上し、衝撃によるクラックの発生を防止できる点で、好ましいものである。また、上記基材１はその側端面に実部を有し、片側の側端面に雄実３を、他の側端面に雌実４が形成されている。なお、基材１は、突き板２を貼着する表面にMDF合板１ａを有することなく、繊維方向が異なる単板を一層毎に、複数層配置したもの１ｂだけで構成されていても構わない。
【００１１】
上記突き板２は、表面化粧を目的とした厚みが０．２〜０．３ｍｍ程度の薄い、化粧単板である。上記突き板は、天然木をスライスしたものである。
【００１２】
上記突き板２は、基材１に貼着されるものであり、上記貼着の方法は、例えば、スチレンブタジエン（ＳＢＲ）系の接着剤や、酢酸ビニル系の接着剤を介して行うことができる。
【００１３】
上記床材は、条溝５又は周縁端部６がＲ面を有し、このＲ面を有する条溝５又は周縁端部６が、基材１が露出されることなく、基材１に形成された条溝５ａ又は周縁端部６ａが上記突き板２で覆われているものである。上記Ｒ面を有する条溝５又は周縁端部６に基材１が露出することなく、突き板２で覆うには、先に基材１だけで、条溝５ａ又は周縁端部６ａにＲ面を形成し、この基材１の表面に、突き板２を重ね、熱圧にて積層一体化することで得られるものである。
【００１４】
上記床材の製造方法の一例を、図２に基づいて説明する。図２（ａ）〜（ｃ）は、請求項４に係る発明に対応する実施の形態の一例をステップ毎に模式的に示した概略断面図である。
【００１５】
図２（ａ）に示す如く、基材１としては、例えば、厚さ３ｍｍ程度のMDF合板１ａを表面に、このMDF合板１ａの裏面に繊維方向が異なる単板を５層配置したもの１ｂが挙げられる。この基材１の総厚みは、１２〜１５ｍｍ程度である。図２（ｂ）に示す如く、上記基材１は、この基材１の表面にＲ面を有する条溝５ａ又は周縁端部６ａを形成する。また、上記基材１は、片側の側端面に雄実３を、他の側端面に雌実４を形成する。
【００１６】
次に、図２（ｃ）に示す如く、基材１は、条溝５ａ又は周縁端部６ａにＲ面を形成した基材１の表面に、メラミン−スチレンブタジエン（ＳＢＲ）系の接着剤が、例えば９〜１１ｇ／尺2 程度で塗布され、その上に厚さ０．３ｍｍ程度の突き板２が積層される。この製造方法にあっては、上記積層した突き板２の上に、クッション材７を設置する。このクッション材７は、ウレタンゴム等の耐熱成形ゴムからなるものであり、上記条溝５ａ又は周縁端部６ａに形成したＲ面に合致する形状面８を有し、この形状面８を上記突き板２に当接するものである。また、上記突き板２を積層した基材１は、基材１の下面を金型９に設置し、クッション材７を介して突き板２側から熱板１０で熱圧することで積層一体化される。上記熱圧の条件としては、例えば、温度は１２０〜１５０℃、圧力は１０〜１２ｋｇ／ｃｍ2 、時間は６０〜９０秒程度が例示される。
【００１７】
上記製造方法により、上記基材１に形成したＲ面を有する条溝５ａ又は周縁端部６ａが、上記突き板２で覆われた床材を得ることができるものである。上記床材は、条溝５又は周縁端部６から基材１面がが露出することがないので、無垢感、高級感を保持したものである。
【００１８】
図３は、本発明の製造方法により製造される床材のその他の一例を模式的に示した断面図である。上記床材は、上記積層一体化した突き板２の面に、アクリルの塗装層１１が形成されてなるものである。上記アクリルの塗装層１１は、ウレタンアクリル樹脂を塗布すればよい。上記床材が、アクリルの塗装層１１を形成していると、床材に深み感がでると共に傷が付きにくい点で好ましいものである。
【００１９】
さらに、上記床材は、水分を吸湿し易い基材１が露出されることなく、水分を吸湿しにくい突き板２で覆われるので、条溝５又は周縁端部６の側壁から水分が浸透することを防止することができる。したがって、上記床材は、水分の浸透により発生する、床材の反り、目スキ、突き上げ等を防止することができるものである。
【００２０】
【発明の効果】
請求項１記載の床材の製造方法は、基材のＲ面を有する条溝又は周縁端部が上記突き板で覆われるため、条溝又は周縁端部から基材面がが露出することがないので、無垢感、高級感を保持した床材を得ることができる。また、上記床材は、水分を吸湿し易い基材が露出されることなく、水分を吸湿しにくい突き板で覆われるので、条溝又は周縁端部の側壁から水分が浸透することを防止することができる。
【図面の簡単な説明】
【図１】本発明の製造方法により得られる床材の一例を模式的に示した断面図である。
【図２】（ａ）〜（ｃ）は、本発明の実施の形態の一例をステップ毎に模式的に示した概略断面図である。
【図３】本発明の製造方法により得られる床材のその他の例を模式的に示した断面図である。
【図４】従来得られる床材の溝部を拡大した断面図である。
【符号の説明】
１      基材
２      突き板
５，５ａ条溝
６，６ａ周縁端部
７      クッション材
【図１】
0003541760.tif 000002
【図２】
0003541760.tif 000003
【図３】
0003541760.tif 000004
【図４】
0003541760.tif 000005